(57)【要約】  【課題】  診断状況・診断対象臓器・診断部位を正確に把握する。  【解決手段】  カメラ１０にて診断状況、診断対象臓器、診断部位をプローブ１１がスキャンする近傍から撮影し、撮影した画像を受信・画像処理部２３にて画像処理を行い、モニタ１２に超音波画像と共に表示する。【選択図】  図１
2005130938.tif 000002
【特許請求の範囲】
【請求項１】
超音波画像を撮像するプローブと、
前記プローブに設けられたカメラと、
前記プローブにより撮像された超音波画像と前記カメラにより撮像された光学画像の双方をモニタ画面上に表示する表示手段とを、
有する超音波診断装置。
【請求項２】
超音波画像を撮像するプローブと、
超音波診断装置の本体に設けられたカメラと、
前記プローブにより撮像された超音波画像と前記カメラにより光学撮像された光学画像の双方をモニタ画面上に表示する表示手段とを、
有する超音波診断装置。
【請求項３】
前記プローブにより撮像された前記超音波画像と前記カメラにより撮像された前記光学画像を関連付けて保存する画像保存手段を更に備えた請求項１又は２に記載の超音波診断装置。
【発明の詳細な説明】
【技術分野】
【０００１】
本発明は、超音波画像を撮像してモニタ画面上に表示する超音波診断装置に関する。
【背景技術】
【０００２】
図７、図８、図９はそれぞれ従来の超音波診断装置を示す構成図、ブロック図、モニタ表示例を示す説明図である。図７に示すように超音波プローブ（以下、単にプローブ）８１はケーブルを介して超音波診断装置本体８３に接続され、超音波診断装置本体８３側には、プローブ８１により撮像された超音波画像を表示するためのモニタ８２が設けられている。超音波診断装置本体８３は図８に示すように、超音波信号をプローブ８１に送信する送信部９２と、プローブ８１からの超音波反射信号を受信して画像処理を行い、超音波画像をモニタ８２に表示させるための受信・画像処理部９３と、ボディマーク選択手段９５を有する（例えば下記の特許文献１）。
【特許文献１】特開２００３−８８５２３号公報（図２）
【０００３】
このような構成において、診断状況・診断対象臓器・診断部位を画面又はドキュメントに記載するために、ボディーマークと呼ばれる模式的なアイコンを操作者がボディーマーク選択手段９５を通じて選択し、図９に示すようにアイコンとして超音波画像上に表示することにより、診断状況・診断対象臓器・診断部位を表現することが可能であった。
【発明の開示】
【発明が解決しようとする課題】
【０００４】
しかしながら、従来の超音波診断装置では、診断状況・診断対象臓器・診断部位の情報を模式的なアイコンを使用して表示させているため、診断状況・診断対象臓器・診断部位を正確に表現することができないという問題があった。
【０００５】
本発明は、従来の問題を解決するためになされたもので、診断状況・診断対象臓器・診断部位を正確に把握することができる超音波診断装置を提供することを目的とする。
【課題を解決するための手段】
【０００６】
本発明は上記目的を達成するために、超音波画像を撮像するプローブと、
前記プローブに設けられたカメラと、
前記プローブにより撮像された超音波画像と前記カメラにより撮像された光学画像の双方をモニタ画面上に表示する表示手段とを、
有する構成とした。
この構成により、プローブに具備されたカメラを使用して、診断状況・診断対象職器・診断部位をプローブがスキャンする近傍から光学的に撮影することができる。
【０００７】
また、本発明の超音波診断装置は、超音波画像を撮像するプローブと、
超音波診断装置の本体に設けられたカメラと、
前記プローブにより撮像された超音波画像と前記カメラにより光学撮像された光学画像の双方をモニタ画面上に表示する表示手段とを、
有する構成とした。
この構成により、超音波診断装置の本体に具備されたカメラを使用して、診断状況・診断対象臓器・診断部位を広範囲に光学的に撮影することができ、また、音波の入射角度やスキャン位置をも把握することができる。
【０００８】
さらに、本発明の超音波診断装置は、前記プローブにより撮像された前記超音波画像と前記カメラにより撮像された前記光学画像の双方を関連付けて保存する画像保存手段を更に備えた構成とした。
この構成により、診断後、カメラで撮影した光学画像と超音波画像を関連付けて確認することができる。
【発明の効果】
【０００９】
本発明によれば、超音波画像に加えて光学画像も表示されるので、診断状況・診断対象臓器・診断部位を正確に把握することができる。
【発明を実施するための最良の形態】
【００１０】
以下、図面を参照して本発明の実施の形態について説明する。
＜第１の実施の形態＞
本発明の第１の実施の形態を図１、図２、図３に示す。図１において、カメラ１０は、プローブ１１に取り付けられ、診断状況、診断対象臓器、診断部位をプローブ１１がスキャンする近傍から撮影する。カメラ１０はプローブ１１から取り外し可能な構成も可能である。カメラ１０とプローブ１１はケーブルを介して超音波診断装置本体１３に接続され、超音波診断装置本体１３側には、プローブ１１により撮像された超音波画像とカメラ１０により撮像された光学画像を表示するためのモニタ１２が設けられている。超音波診断装置本体１３は図２に示すように、超音波信号をプローブ１１に送信する送信部２２と、プローブ１１とカメラ１０からの信号を受信して画像処理を行い、画像をモニタ１２に表示させるための受信・画像処理部２３を有する。
【００１１】
以上のように構成された超音波診断装置について、図２を用いてその動作を説明する。まず、送信部２２において送信信号を発生させてその信号をプローブ１１に供給して超音波を発生させ、プローブ１１から体内に送信されて反射した超音波を再びプローブ１１で受信して電気信号に変換する。この変換された電気信号を受信・画像処理部２３に供給して画像信号処理を行い、モニタ１２に表示する。一方、カメラ１０にて診断状況、診断対象臓器、診断部位をプローブ１１がスキャンする近傍から撮影する。撮影した画像を受信・画像処理部２３にて画像処理を行い、図３に示すようにモニタ１２に超音波画像と共に表示する。
【００１２】
このような本発明の第１の実施の形態によれば、プローブ１１にカメラ１０を設けることにより、診断状況、診断対象臓器、診断部位をプローブ１１がスキャンする近傍から撮影し、超音波画像と併せて表示することにより、診断状況（プローブを当てている部位、体表に対する角度、体表の凹凸によるプローブの当て方の強さ、呼吸の状態（息を止めているか否かなど）、さらにゲルの塗布状態も含め）を正確に把握することができる。さらにプローブにアタッチメント（オフセットなど）を装着して検査する場合、その有無も明らかにすることができる。このように超音波画像とカメラ画像とを関連付けて同時表示、保存、読み出しをすることで検査の再現性向上、確認が可能となる。
【００１３】
＜第２の実施の形態＞
次に、本発明の第２の実施の形態を図４、図５に示す。第２の実施の形態では、診断状況・診断対象臓器・診断部位を広範囲に撮影するためにカメラ１０が超音波診断装置本体１３側に設けられている。他の構成は第１の実施の形態と同じであるのでその詳細な説明は省略する。カメラ１０は超音波診断装置本体１３から取り外し可能な構成も可能である。
【００１４】
以上のように構成された超音波診断装置について、図５を用いてその動作を説明する。まず、送信部２２において送信信号を発生させてその信号をプローブ１１に供給して超音波を発生させ、プローブ１１から体内に送信されて反射した超音波を再びプローブ１１で受信して電気信号に変換する。この変換された電気信号を受信・画像処理部２３に供給して画像信号処理を行い、モニタ１２に表示する。一方、超音波診断装置本体１３に具備されたカメラ１０にて診断状況、診断対象臓器、診断部位を広範囲に撮影する。撮影した画像を受信・画像処理部２３にて画像処理を行い、図３に示すようにモニタ１２に超音波画像と共に表示する。
【００１５】
このような本発明の第２の実施の形態によれば、超音波診断装置本体１３にカメラ１０を設けることにより、診断状況、診断対象臓器、診断部位を広範囲に撮影し、超音波画像と併せて表示することにより、診断状況を正確に把握することができる。
【００１６】
＜第３の実施の形態＞
本発明の第３の実施の形態を図６に示す。第１の実施の形態及び第２の実施の形態において、更に超音波画像保管部２５及びカメラ画像保管部２６が追加されている。以上のように構成された超音波診断装置について、図６を用いてその動作を説明する。まず、送信部２２において送信信号を発生させて、その信号をプローブ１１に供給して超音波を発生させ、プローブ１１から体内に送信されて反射した超音波を再びプローブ１１で受信して電気信号に変換する。この変換された電気信号を受信・画像処理部２３に供給し画像信号処理を行い、モニタ１２に表示する。一方、プローブ１１や超音波診断装置本体１３に具備されたカメラ１０にて診断状況、診断対象臓器、診断部位を撮影する。撮影した画像を受信・画像処理部２３にて画像処理を行い、モニタ１２に超音波画像と共に表示する。
【００１７】
また、受信・画像処理部２３において得られた超音波画像は、超音波画像保管部２５に格納し、受信・画像処理部２３において得られたカメラ画像は、カメラ画像保管部２６に格納する。超音波画像保管部２５に格納した超音波画像とカメラ画像保管部２６に格納したカメラ画像は、それぞれのデータに識別可能なコードを付加して格納することによって、お互いの画像の関連付けが可能となる。関連付けされた画像を同時又は個別に読み出し、モニタ１２に同時又は個別に表示することにより、診断後の確認を行うことが可能となる。なお、超音波画像保管部２５及びカメラ画像保管部２６は共通又は個別のメモリで構成される。またＣＤ、ＤＶＤ、ＨＤＤなどの記録メディアで構成することも可能である。
【００１８】
このような本発明の第３の実施の形態によれば、超音波診断装置本体１３又はプローブ１１に具備されたカメラ１０で撮影した画像と超音波画像を関連付けて保存することにより、診断後、カメラ１０で撮影した画像と超音波画像を関連付けて確認することができる。
【産業上の利用可能性】
【００１９】
本発明によれば、超音波画像に加えて光学画像も表示されるので、診断状況・診断対象臓器・診断部位を正確に把握することができるので、本発明は医療などにおける超音波診断などの分野及びそのための装置の製造分野などで有用である。
【図面の簡単な説明】
【００２０】
【図１】本発明の第１の実施の形態における超音波診断装置の概略図
【図２】本発明の第１の実施の形態における超音波診断装置の動作説明のためのブロック図
【図３】本発明の第１、第２の実施の形態における超音波診断装置の画像表示例を示す説明図
【図４】本発明の第２の実施の形態における超音波診断装置の概略図
【図５】本発明の第２の実施の形態における超音波診断装置の動作説明のためのブロック図
【図６】本発明の第３の実施の形態における超音波診断装置の動作説明のためのブロック図
【図７】従来の超音波診断装置の構成図
【図８】従来の超音波診断装置の動作説明のためのブロック図
【図９】従来の超音波診断装置のモニタ表示例を示す説明図
【符号の説明】
【００２１】
１０  カメラ
１１  プローブ
１２  モニタ
１３  超音波診断装置本体
２２  送信部
２３  受信・画像処理部
２５  超音波画像保管部
２６  カメラ画像保管部
【図１】
2005130938.tif 000003
【図２】
2005130938.tif 000004
【図３】
2005130938.tif 000005
【図４】
2005130938.tif 000006
【図５】
2005130938.tif 000007
【図６】
2005130938.tif 000008
【図７】
2005130938.tif 000009
【図８】
2005130938.tif 000010
【図９】
2005130938.tif 000011